(57)【要約】【課題】電波が届きにくい屋内や中高層建物において、実装が容易であり、屋内と屋外の中継機能を備え電波の送受信を可能とするアンテナ機能付き窓ガラスを提供する。【解決手段】アンテナ機能付き窓ガラス１００は、複層ガラス１と、中継装置８と、給電線９と、支持台１２を備える。複層ガラス１は、端末側ガラス板２と基地局側ガラス板３を備える。端末側ガラス板２は、基地局側ガラス板３に対向する面とは異なる側の面の表面に、送信および／または受信する電波の周波数の、２分の１波長の幅を有する長方形の開口のスロット４を有する透明導電膜６を備え、端末側ガラス板２はスロットアンテナとして機能する。基地局側ガラス板３も同様に、スロット５を有する透明導電膜７を備え、スロットアンテナとして機能する。中継装置８は、基地局側ガラス板３のスロット５で受信した電波を、端末側ガラス板２のスロット４へ中継する。【選択図】図１
2012099995.tif 000002
【特許請求の範囲】
【請求項１】
少なくとも２枚の板ガラスを備える複層ガラスと、
送信および／または受信する電波の周波数の、２分の１波長の幅を有する長方形の開口が形成され、前記板ガラスのそれぞれの互いに対向する面とは異なる面の表面に備えられる第１の導電膜と、
前記複層ガラスの一方の前記板ガラスの前記開口を有する前記第１の導電膜で受信した前記電波を、他方の前記板ガラスの前記開口を有する前記第１の導電膜へ中継する中継装置と、
を備えることを特徴とするアンテナ機能付き窓ガラス。
【請求項２】
前記板ガラスの少なくとも一方の、他方の板ガラスに対向する面に、金属もしくは金属酸化物からなる第２の導電膜を備えることを特徴とする請求項１に記載のアンテナ機能付き窓ガラス。
【請求項３】
前記開口を有する前記第１の導電膜は透明であることを特徴とする請求項１に記載のアンテナ機能付き窓ガラス。
【請求項４】
前記開口を有する前記第１の導電膜および前記第２の導電膜は透明であることを特徴とする請求項２に記載のアンテナ機能付き窓ガラス。
【請求項５】
前記複層ガラスの一方にある前記板ガラスの前記開口を有する前記第１の導電膜は無線端末装置が配置される屋内側に向けて設置され、他方にある前記板ガラスの前記開口を有する前記第１の導電膜は無線基地局が配置される屋外側に向けて設置されることを特徴とする請求項１ないし４のいずれか１項に記載のアンテナ機能付き窓ガラス。
【請求項６】
前記中継装置は、前記屋内側の前記無線端末装置に向けて電波を送信する場合は空中線電力が小電力無線の空中線電力になるように増幅し、前記屋外側の前記無線基地局に向けて電波を送信する場合は該屋内側の前記無線端末装置の空中線電力以下の空中線電力になるように増幅することを特徴とする請求項１ないし５のいずれか１項に記載のアンテナ機能付き窓ガラス。
【発明の詳細な説明】
【技術分野】
【０００１】
本発明は、アンテナ機能付き窓ガラスに関する。より詳しくは、無線端末装置向けのアンテナ機能付き窓ガラスに関する。
【背景技術】
【０００２】
携帯電話などの無線端末装置が普及しているが、基地局の電波は基本的に水平方向より下方向に向けて出ているため、基地局より高い中高層建物では電波が届きにくいことがある。また、建物内では、建物の構造上、電波をシールドしたり反射したりするなどして、電波が届きにくいことがある。このような建物の屋内において電波のやりとりを補助するアンテナを設置する対策がとられている。
【０００３】
たとえば、特許文献１は、ガラス板の少なくとも一部に設けられた熱線反射性透明電導膜に所定の幅、かつ、所定の長さのスリットを設け、スリットの両側近傍の熱線反射性透明電導膜上に両給電部を設け、熱線反射性透明電導膜にアンテナ機能を持たせたガラス窓が記載されている。
【０００４】
特許文献２は、車両用窓ガラスに沿って水平方向の最大長さＡに対して直交する方向の最大長さをＢとするとき、アスペクト比Ａ／Ｂが０．５〜２．０であるスロットを形成することで、車両に取り付けた際に水平方向に対して感度が高い、簡易な車両用ガラスアンテナを実現している。
【０００５】
特許文献３は、装置サイズの小型化を可能とする移動体通信用中継増幅装置が記載されており、基地局向け平面アンテナに対して互いの電波放射面の裏面が電波シールド部材を挟んで向かい合うように配置される移動局向け平面アンテナを有することで、回り込み干渉信号を抑圧し、アイソレーションを向上させている。
【０００６】
特許文献４は、移動体通信ネットワークの基地局およびユーザ端末間の情報交換を中継するのに用いられるリピータシステムにおいて、空間の室内照明に用いる任意の透明パネルに一体化された任意の透明平面アンテナである再送信手段を備える屋外アンテナと、屋内アンテナを備え、再送信手段はインタフェースとして動作する技術が記載されている。
【先行技術文献】
【特許文献】
【０００７】
【特許文献１】特開平０５−１２９８２０号公報
【特許文献２】特開２００８−１６０２８２号公報
【特許文献３】特開２００８−１９９５６２号公報
【特許文献４】特開２００９−３３７１６号公報
【発明の概要】
【発明が解決しようとする課題】
【０００８】
関連する技術である特許文献１、２、４の技術では、ガラス窓にアンテナ機能を備え、電波の送受信を行っている。特許文献３の技術では、屋内と屋外との電波の中継を目的とした装置であるが、取り付け場所の確保が容易ではなく、また、装置が大がかりになるおそれがあった。
【０００９】
屋外の無線装置（基地局）と屋内の無線端末装置との間で通信する場合において、屋内の電波伝搬を改善するために、無線式の小型基地局（装置）を備え付ける対策がとられることが多いが、小型の基地局の装置は高価であるためコストの問題や、設置場所確保の問題が生じる。
【００１０】
本発明は、上述のような事情に鑑みてなされたもので、電波が届きにくい屋内や中高層建物において、実装が容易であり、屋内と屋外の中継機能を備え電波の送受信を可能とするアンテナ機能付き窓ガラスを提供することを目的とする。
【課題を解決するための手段】
【００１１】
本発明の観点に係るアンテナ機能付き窓ガラスは、
少なくとも２枚の板ガラスを備える複層ガラスと、
送信および／または受信する電波の周波数の、２分の１波長の幅を有する長方形の開口が形成され、前記板ガラスのそれぞれの互いに対向する面とは異なる面の表面に備えられる第１の導電膜と、
前記複層ガラスの一方の前記板ガラスの前記開口を有する前記第１の導電膜で受信した前記電波を、他方の前記板ガラスの前記開口を有する前記第１の導電膜へ中継する中継装置と、
を備えることを特徴とする。
【発明の効果】
【００１２】
本発明によれば、電波が届きにくい屋内や中高層建物において、実装が容易であり、屋内と屋外の中継機能を備え電波の送受信を可能とすることができる。
【図面の簡単な説明】
【００１３】
【図１】本発明の実施の形態１に係るアンテナ機能付き窓ガラスの構成の一例を示す概略斜視図である。
【図２】実施の形態１に係る中継装置の構成の一例を示すブロック図である。
【図３】本発明の実施の形態２に係るアンテナ機能付き窓ガラスの構成の一例を示す概略斜視図である。
【発明を実施するための形態】
【００１４】
以下に、本発明を実施するための形態について図面を参照して詳細に説明する。なお、図中同一または相当する部分には同じ符号を付す。
【００１５】
（実施の形態１）
図１は、本発明の実施の形態１に係るアンテナ機能付き窓ガラスの構成の一例を示す概略斜視図である。アンテナ機能付き窓ガラス１００は、複層ガラス１と、中継装置８と、給電線９と、支持台１２を備える。複層ガラス１は、端末側ガラス板２と、基地局側ガラス板３を備える。端末側ガラス板２はスロット４を有する透明導電膜６を備える。同様に、基地局側ガラス板３も、スロット５を有する透明導電膜７を備える。支持台１２は例えば窓枠などの複層ガラス１を支持できるものであり、形状は任意に設定できる。
【００１６】
端末側ガラス板２は、屋内に置かれた無線端末装置１０側に向けて設置される。また、基地局側ガラス板３は、屋外に置かれた無線基地局１１側に向けて設置される。すなわち、複層ガラス１を介して無線端末装置１０と無線基地局１１は電波の送受信を行う。
【００１７】
端末側ガラス板２は、基地局側ガラス板３に対向する面とは異なる面の表面に、スロット４が形成された透明導電膜６を備える。端末側ガラス板２は、スロット４が形成された透明導電膜６を備えることで、スロットアンテナとして機能する。
【００１８】
透明導電膜６のスロット４は、送受信する電波の周波数の２分の１波長の幅からなる長方形に空けられた開口を指す。スロット４は、そのスロット４の端部近辺に給電部（図示せず）を備え給電線９と接続し、給電線９を介して中継装置８と接続する。
【００１９】
透明導電膜６は、スパッタリング、ＣＶＤ（Chemical Vapor Deposition）、真空蒸着、アーク放電、ゾル・ゲル、スプレー法など、一般に行われている方法で成膜する。透明導電膜６は、ＩＴＯ膜、酸化亜鉛膜に酸化アルミニウムもしくは酸化ガリウムを添加したもの、酸化スズ膜に酸化アンチモンもしくはフッ素をドープしたもの、が好ましいが、特にこれらに限定されずに用いることができる。
【００２０】
基地局側ガラス板３と端末側ガラス板２の、基本的な構造は同じである。基地局側ガラス板３は、端末側ガラス板２に対向する面とは異なる面の表面に、スロット５が形成された透明導電膜７を備える。基地局側ガラス板３も端末側ガラス板２と同様に、スロットアンテナとして機能する。基地局側ガラス板３は、スロット５の端部近辺に給電部（図示せず）を備え給電線９と接続し、給電線９を介して中継装置８と接続することができる。
【００２１】
中継装置８は、給電線９を介して、端末側ガラス板２のスロット４と基地局側ガラス板３のスロット５を接続する。すなわち、中継装置８は、端末側ガラス板２のスロット４で受信した電波を基地局側ガラス板３のスロット５へ中継し、また、基地局側ガラス板３のスロット５で受信した電波を端末側ガラス板２のスロット４へ中継する。このとき、給電線９を介して中継する。
【００２２】
図２は、実施の形態１に係る中継装置の構成の一例を示すブロック図である。中継装置８は、屋内向け増幅部８１および屋外向け増幅部８２を備える。また、中継装置８は、図示していないが送信部および受信部を備える。中継装置８は、一方を端末側ガラス板２側のスロット４と給電線９を介して電気的に接続し、また、他方を基地局側ガラス板３側のスロット５と給電線９を介して電気的に接続する。なお、端末側ガラス板２側のスロット４は無線端末装置１０の電波を送受信し、基地局側ガラス板３側のスロット５は無線基地局１１の電波を送受信する。
【００２３】
屋外から屋内へ電波を中継する場合は、中継装置８の受信部は、まず、無線基地局１１からの電波を受信する。屋内向け増幅部８１は、受信した電波（電波信号）を、所定の大きさに増幅する。送信部は、所定の大きさに増幅された電波（電波信号）を、無線端末装置１０へ向けて送信する。この一連の流れにより、中継装置８は、受信した電波を中継し、結果としてアンテナ機能付き窓ガラス１００は屋外から屋内へ電波を中継することができる。
【００２４】
このとき、屋内向け増幅部８１を用いて、屋内向けに送信する空中線電力を、小電力無線で電波を伝えることができる電波信号の大きさに増幅する。小電力無線とは、例えば、コードレス電話や無線ＬＡＮなどと同じで空中線電力が小電力電波を利用したものをいい、屋外への影響が小さく、屋内には無線ＬＡＮ程度の到達範囲を確保できる。
【００２５】
屋内から屋外へ電波を中継する場合は、中継装置８の受信部は、まず、無線端末装置１０からの電波を受信する。屋外向け増幅部８２は、受信した電波（電波信号）を、所定の大きさに増幅する。送信部は、所定の大きさに増幅された電波（電波信号）を、無線基地局１１へ向けて送信する。この一連の流れにより、中継装置８は、受信した電波を中継し、結果としてアンテナ機能付き窓ガラス１００は屋内から屋外へ電波を中継することができる。
【００２６】
このとき、屋外向け増幅部８２を用いて、屋外向けに送信する空中線電力を、無線端末装置１０の空中線電力と同程度以下とする。空中線電力と同程度以下とすれば、無線端末装置１０が窓ガラス（アンテナ機能付き窓ガラス１００）の位置にあるのと同じことになるので、屋外の電波環境に対して悪影響はなく、窓ガラス（アンテナ機能付き窓ガラス１００）の外側が無線基地局１１の電波到達エリア内である限り、無線基地局１１と通信ができることになる。
【００２７】
以上説明したように、実施の形態１によれば、電波が届きにくい屋内や中高層建物において、実装が容易であり、屋内と屋外の中継機能を備え電波の送受信を可能とするアンテナ機能付き窓ガラスを提供することができる。
【００２８】
窓ガラスにスロットが形成された透明樹脂膜を備え、窓ガラスをスロットアンテナとして機能させることで、デザイン性を損なうことなく容易に設置することができる。従来必要とされていた中継装置に比べて本発明におけるアンテナ機能付き窓ガラスを用いることで安価で済み、設置場所を考慮する必要も少なく設置が容易である。
【００２９】
アンテナ機能付き窓ガラスの中継装置により、屋内向けに送信する空中線電力は、コードレス電話や無線ＬＡＮなどと同じで、屋外への影響が小さく、屋内には無線ＬＡＮ程度の到達範囲を確保できる。
【００３０】
また、屋外向けに送信する空中線電力を、端末の空中線電力と同程度以下とすれば、端末が窓ガラスの位置にあるのと同じことになるので、屋外の電波環境に対して悪影響はなく、窓ガラスの外側が基地局の電波到達エリア内である限り、基地局と通信ができることになる。その結果、屋内であっても、屋外と同様な電波の送受信が可能となり、屋内で無線端末装置を利用する際の、電波状態が良好となる。
【００３１】
（実施の形態２）
図３は、本発明の実施の形態２に係るアンテナ機能付き窓ガラスの構成の一例を示す概略斜視図である。実施の形態１に係るアンテナ機能付き窓ガラス１００と基本的な構成は同じである。実施の形態２の複層ガラス１は、実施の形態１の構成に加えて、端末側ガラス板２に対向する基地局側ガラス板３の面に、金属透明導電膜１３を備える。
【００３２】
金属透明導電膜１３は、基地局側ガラス板３の、端末側ガラス板２に対向する側の面に、透明導電膜６、７と同様に、スパッタリングなどの方法で成膜する。ここでは金属透明導電膜１３は、基地局側ガラス板３の、端末側ガラス板２に対向する側の面に成膜しているが、端末側ガラス板２の、基地局側ガラス板３に対向する側の面に成膜してもよい。
【００３３】
好ましくは、基地局側ガラス板３の端末側ガラス板２に対向する側の面と、端末側ガラス板２の基地局側ガラス板３に対向する側の面に形成し、端末側ガラス板２と基地局側ガラス板３の対向する側の面のそれぞれが、金属透明導電膜１３で覆われていることである。
【００３４】
アンテナ機能付き窓ガラス１００が可視光を透過する必要がなければ、金属透明導電膜１３は透明でなくても構わない。金属透明導電膜１３は、例えば、酸化インジウム、スズ、クロム、チタン、銀、金、アルミニウム、銅、ニッケルのいずれか１種類の金属（酸化金属含む）からなる単層膜、または、酸化チタン／銀／酸化チタン、酸化亜鉛／銀／酸化亜鉛などの該単層膜に用いられる金属層を上下から透明性誘電体層で挟み積層した複層膜、などの金属膜（酸化金属膜を含む）を用いればよく、上述の例に限定されない。
【００３５】
基地局側ガラス板３のスロット５で受信した電波は、中継装置８を経由して、端末側ガラス板２のスロット４を介して無線端末装置１０へ送信される。このとき、中継装置８は、同じ受信周波数の電波を増幅して送信している。そのため、端末側ガラス板２のスロット４では、送信する電波により回り込み干渉が発生する。基地局側ガラス板３に金属透明導電膜１３を成膜して形成しておくことで、電波の遮断効果により、回り込み干渉の発生を防止することができる。端末側ガラス板２に金属透明導電膜１３を成膜しておく場合も同様に、回り込み干渉の発生を防止することができる。好ましくは、基地局側ガラス板３と端末側ガラス板２の両方に金属透明導電膜１３を成膜する場合であり、回り込み干渉の発生をより効果的に防止することができる。
【００３６】
以上説明したように、実施の形態２によれば、電波が届きにくい屋内や中高層建物において、実装が容易であり、屋内と屋外の中継機能を備え電波の送受信を可能とするアンテナ機能付き窓ガラスを提供することができる。また、複層ガラスの間に金属透明導電膜を備え、それぞれのアンテナにおける送受信する電波の回り込みを防止し、干渉を抑制する。
【００３７】
窓ガラスにスロットが形成された透明樹脂膜を備え、窓ガラスをスロットアンテナとして機能させることで、デザイン性を損なうことなく容易に設置することができる。従来必要とされていた中継装置に比べて本発明におけるアンテナ機能付き窓ガラスを用いることで安価で済み、設置場所を考慮する必要も少なく設置が容易である。
【００３８】
アンテナ機能付き窓ガラスの中継装置により、屋内向けに送信する空中線電力は、コードレス電話や無線ＬＡＮなどと同じで、屋外への影響が小さく、屋内には無線ＬＡＮ程度の到達範囲を確保できる。
【００３９】
また、屋外向けに送信する空中線電力を、端末の空中線電力と同程度以下とすれば、端末が窓ガラスの位置にあるのと同じことになるので、屋外の電波環境に対して悪影響はなく、窓ガラスの外側が基地局の電波到達エリア内である限り、基地局と通信ができることになる。その結果、屋内であっても、屋外と同様な電波の送受信が可能となり、屋内で無線端末装置を利用する際の、電波状態が良好となる。
【００４０】
さらに、複層ガラスの対向する面側に金属透明導電膜を備えることで、屋内側と屋外側のアンテナにおける回り込み干渉の発生を防止することができ、電波の送受信において、ノイズや電波障害を低減させることができる。複層ガラスの対向する面全てに金属透明導電膜を形成することで、ノイズや電波障害の防止効果が向上する。
【００４１】
本実施の形態では、透明導電膜の材料について例示しているが、特に限定されない。金属透明導電膜についても、材料は限定されず、任意に選択することができる。導電膜および金属導電膜を透明の場合を例に挙げて説明したが、特にデザイン性の影響や採光などの問題がない場合は、必ずしも透明でなくてもよい。
【００４２】
また、本実施の形態では、スロットの形状は例示したものに限定されず、任意に設定可能であり、所定の周波数を送受信することが可能であればよい。このときのスロットの辺の長さは、受信する電波の中心周波数の０．５〜１．５倍の範囲の長さで設定されることが好ましい。
【００４３】
なお、中継装置の機能について、本実施の形態では、電波信号の増幅機能を説明したが、電波信号の増幅だけでなく、あわせて周波数の切替の機能を備えてもよい。中継する双方の電波の周波数が異なる場合においても、中継装置がレピータとして稼働し、本発明を適用することができる。
【００４４】
上記の実施形態の一部または全部は、以下の付記のようにも記載されうるが、以下には限られない。
【００４５】
（付記１）
少なくとも２枚の板ガラスを備える複層ガラスと、
送信および／または受信する電波の周波数の、２分の１波長の幅を有する長方形の開口が形成され、前記板ガラスのそれぞれの互いに対向する面とは異なる面の表面に備えられる第１の導電膜と、
前記複層ガラスの一方の前記板ガラスの前記開口を有する前記第１の導電膜で受信した前記電波を、他方の前記板ガラスの前記開口を有する前記第１の導電膜へ中継する中継装置と、
を備えることを特徴とするアンテナ機能付き窓ガラス。
【００４６】
（付記２）
前記板ガラスの少なくとも一方の、他方の板ガラスに対向する面に、金属もしくは金属酸化物からなる第２の導電膜を備えることを特徴とする付記１に記載のアンテナ機能付き窓ガラス。
【００４７】
（付記３）
前記開口を有する前記第１の導電膜は透明であることを特徴とする付記１に記載のアンテナ機能付き窓ガラス。
【００４８】
（付記４）
前記開口を有する前記第１の導電膜および前記第２の導電膜は透明であることを特徴とする付記２に記載のアンテナ機能付き窓ガラス。
【００４９】
（付記５）
前記複層ガラスの一方にある前記板ガラスの前記開口を有する前記第１の導電膜は無線端末装置が配置される屋内側に向けて設置され、他方にある前記板ガラスの前記開口を有する前記第１の導電膜は無線基地局が配置される屋外側に向けて設置されることを特徴とする付記１ないし４のいずれかに記載のアンテナ機能付き窓ガラス。
【００５０】
（付記６）
前記中継装置は、前記屋内側の前記無線端末装置に向けて電波を送信する場合は空中線電力が小電力無線の空中線電力になるように増幅し、前記屋外側の前記無線基地局に向けて電波を送信する場合は該屋内側の前記無線端末装置の空中線電力以下の空中線電力になるように増幅することを特徴とする付記１ないし５のいずれかに記載のアンテナ機能付き窓ガラス。
【産業上の利用可能性】
【００５１】
本発明によれば、複層ガラスの各ガラスに送受信アンテナを施し、ガラス内部の表面に透明導電膜のコーティングを施し、回り込み干渉を防ぐことを特徴とした小電力レピータ向けアンテナとして利用できる。
【符号の説明】
【００５２】
１  複層ガラス
２  端末側ガラス板
３  基地局側ガラス板
４、５  スロット
６、７  透明導電膜
８  中継装置
９  給電線
１０  無線端末装置
１１  無線基地局
１２  支持台
１３  金属透明導電膜
８１  屋内向け増幅部
８２  屋外向け増幅部
１００  アンテナ機能付き窓ガラス
【図１】
2012099995.tif 000003
【図２】
2012099995.tif 000004
【図３】
2012099995.tif 000005